(57)【要約】【課題】本発明は、新たな部材の追加は不要として、液体が掛った状態を放置したとしても、コネクタでの漏電事故等の発生を防止する医療機器を提供する。【解決手段】設置面８に設置可能で筐体１を有する医療機器に設けられた底面パネル１ａと、前記底面パネルに設けられ開口部５ａを有する凹部５と、前記凹部に設けられる第１の電気接点４Ａと、前記凹部に挿入されたときに前記第１の電気接点と電気的に接続可能な第２の電気接点４Ｂを有するコネクタ部７と、前記底面パネルに設けられ前記コネクタ部が前記凹部に挿入されたときに前記コネクタ部を前記設置面に対して非接触な状態で前記筐体を保持する支持脚２とを有する。【選択図】    図３
2004350761.tif 000002
【特許請求の範囲】
【請求項１】
設置面に設置可能で、筐体を有する医療機器に設けられた底面パネルと、
前記底面パネルに設けられ開口部を有する凹部と、
前記凹部に設けられる第１の電気接点と、
前記凹部に挿入可能で、前記凹部に挿入されたときに前記第１の電気接点と電気的に接続可能な第２の電気接点を有するコネクタ部と、
前記底面パネルに設けられ、前記コネクタ部が前記凹部に挿入されたときにコネクタ部を前記設置面に対して非接触な状態で前記筐体を保持する支持部と、
を有することを特徴とする医療機器。
【請求項２】
設置面に設置可能で、筐体を有する医療機器に設けられた底面パネルと、
前記底面パネルに設けられ、前記設置面と前記底面パネルとの間に所定の隙間を形成するように前記筐体を保持する支持部と、
前記底面パネルに設けられ開口部を有する凹部と、
前記凹部に設けられる第１の電気接点と、
前記凹部に挿入可能であり、前記凹部に挿入されたときに前記第１の電気接点と電気的に接続可能な第２の電気接点を有するとともに、前記底面パネルから前記所定の隙間よりも小さく突出するコネクタ部と、
を有することを特徴とする医療機器。
【請求項３】
前記凹部とコネクタ部とでコネクタが構成され、前記コネクタは、電源コネクタと、映像用コネクタおよび通信用コネクタの、少なくともいずれか一つであることを特徴とする請求項１および請求項２のいずれかに記載の医療機器。
【発明の詳細な説明】
【０００１】
【発明の属する技術分野】
本発明は、たとえば内視鏡装置である医療機器に係り、特に、コネクタの取付け構造の改良に関する。
【０００２】
【従来の技術】
医療機器である、たとえば内視鏡装置の光源部を構成する筐体（機器本体）は、上下面、前後面と左右側面などの各面がパネルからなっている。そして、所定の面のパネルには、種々の電気部品が取付けられている。
【０００３】
図４（Ａ）は、内視鏡装置の光源部を構成する筐体Ｋを後面側から見た斜視図である。
筐体Ｋの後面パネルａの所定の部位には、電源コードｂが電気的に接続される電源コネクタｃと、図示しないテレビモニタに接続される映像入出力用コネクタｄおよび周辺機器に接続される通信用コネクタｅが設けられる。
【０００４】
内視鏡装置の光源部に係らず、一般的な医療機器の筐体Ｋは、左右両側面パネルｆばかりでなく、前面パネルｇおよび、前記電源コネクタｃが取付けられる後面パネルａともに、筐体Ｋを設置する設置面に対して垂直面をなしている。
【０００５】
このような医療機器では、使用環境によっては筐体Ｋに水滴もしくは薬液等（以下、液体と呼ぶ）が降りかかることがある。医療現場では多くの場合作業者が多忙を極めていて、筐体Ｋに液体が降りかかっても直ちにこれを払拭除去する余裕がなく、必要な全ての作業を終了したあとで行うのが通常である。
したがって、筐体Ｋに降りかかった液体が各パネル面を流下する途中で、これらパネル面に取付けられる電気部品を濡らすことは考えられる。
【０００６】
図４（Ｂ）は、内視鏡装置の筐体Ｋにおける電源コネクタｃの取付け部分を拡大して示す断面図である。
前記電源コネクタｃは、筐体Ｋの後面パネルａに取付けられ電気接点ｉを有する凹部ｊと、電源コードｂ先端に設けられ前記凹部ｊの電気接点ｉに差し込まれる図示しない孔部からなる電気接点を備えたコネクタ部ｍとから構成される。
【０００７】
前記凹部ｊの電気接点ｉに対してコネクタ部ｍは挿脱自在に差し込まれるので、凹部ｊの内周面とコネクタ部ｍの外周面との間には若干の隙間が存在するようにコネクタ部ｍの外形および凹部ｊの内部は形成されている。
【０００８】
前記後面パネルａに降りかかった液体ｎをそのまま放置した場合、この液体は後面パネルａに沿って流下し、ついには電源コネクタｃに到達する。あるいは、飛沫化した液体が直接、電源コネクタｃに飛散してくる場合もある。
【０００９】
何れにしても、液体ｎは毛細管現象により凹部ｊ内周面とコネクタ部ｍ外周面と隙間に浸入してしまう。隙間が狭いほど浸入した液体がそのまま留まり易く、さらに後続的に液体が浸入してくると隙間に充満する。
【００１０】
その一方で、前記電気接点ｉはコネクタ部ｍと電気的に接続する必要があるので、これを絶縁被覆することができない。したがって、電気接点ｉ相互が充満する液体ｎによって電気的に導通してしまい、いわゆる漏電状態になる。
【００１１】
この種の事故発生の防止をなす発明が、［特許文献１］に記載されている。この発明では、筐体の後面パネルに電源コードを巻き付け収容するための電源コード巻きを一体に備えていて、コネクタ類を囲んでいる。
【００１２】
たとえば、誤ってこぼれた薬液や雨等が上方からかかっても、これらは前記電源コード巻きに受け止められ、コネクタ類が濡れることがない。すなわち、電源コード巻きが屋根状部材を構成している。
【００１３】
【特許文献１】
特開平５−７２４８９号公報
【００１４】
【発明が解決しようとする課題】
しかしながら、前記特許文献１の発明においては、従来から電源コード巻きを備えていることが前提である医療機器（光源装置）であって、特に電源コード巻きを備えていない場合は、新たに屋根状部材を取付けなければならなず、コストに悪影響を及ぼす。
【００１５】
さらに、電源コードの先端に設けられるコネクタ部は、直状であっても、略Ｌ字状であっても、電源コードとともに後面パネルからの突出量が大となる。このような電源コネクタを完全に覆う屋根状部材として、パネル面からの突出量が極めて大となり外観的に劣ってしまう。
【００１６】
本発明は前記事情に着目してなされたものであり、その目的とするところは、、新たな部材の追加は不要として、コネクタに液体が掛った状態を放置したとしても、漏電事故等の発生を防止する医療機器を提供しようとすることにある。
【００１７】
【課題を解決するための手段】
請求項１の発明は、設置面に設置可能で、筐体を有する医療機器に設けられた底面パネルと、前記底面パネルに設けられ開口部を有する凹部と、前記凹部に設けられる第１の電気接点と、前記凹部に挿入可能で、前記凹部に挿入されたときに前記第１の電気接点と電気的に接続可能な第２の電気接点を有するコネクタ部と、前記底面パネルに設けられ、前記コネクタ部が前記凹部に挿入されたときに前記コネクタ部を前記設置面に対して非接触な状態で前記筐体を保持する支持部とを具備することを特徴とする医療機器である。
【００１８】
請求項２の発明は、設置面に設置可能で、筐体を有する医療機器に設けられた底面パネルと、前記底面パネルに設けられ、前記設置面と前記底面パネルとの間に所定の隙間を形成するように前記筐体を保持する支持部と、前記底面パネルに設けられ開口部を有する凹部と、前記凹部に設けられる第１の電気接点と、前記凹部に挿入可能であり、前記凹部に挿入されたときに前記第１の電気接点と電気的に接続可能な第２の電気接点を有するとともに、前記底面パネルから前記所定の隙間よりも小さく突出するコネクタ部とを具備することを特徴とする医療機器である。
【００１９】
そして、本請求項１および請求項２の発明の医療機器では、筐体に降りかかってパネル面を伝わってきた液体が凹部とコネクタ部との隙間に入ることを防ぎ、電気接点を保護できるとともに、コネクタ部が凹部から抜け出ることの防止を図れる。
【００２０】
請求項３の発明は、前記凹部とコネクタ部とでコネクタが構成され、前記コネクタは、電源コネクタと、映像用コネクタおよび通信用コネクタの、少なくともいずれか一つであることを特徴とする請求項１および請求項２のいずれかに記載の医療機器である。
【００２１】
そして、本請求項３の発明の医療機器では、電源コネクタと、映像用コネクタおよび通信用コネクタの、少なくともいずれか一つのコネクタの漏電防止と、抜け防止を図れる。
【００２２】
【発明の実施の形態】
以下、本発明の一実施の形態を図１〜図３を参照して説明する。
なお、図１は医療機器である、たとえば内視鏡装置の光源部を底面側から見た斜視図であり、図２は内視鏡装置の光源部を設置面に設置した状態を示す光源部の一部を省略した側面図であり、図３は図２の一部を拡大した断面図である。
【００２３】
内視鏡装置の光源部を構成する筐体１における、ここでは図示しない前パネルには、各種のゲージ類や表示灯類、あるいはスイッチ類が取付けられている。筐体１の底面パネル１ａには、四隅に支持脚（支持部）２が取付けられている。
【００２４】
これら支持脚２は、たとえば比較的剛性を有するゴム材からなり、それぞれ円柱状をなしていて、互いに同一高さ寸法Ｈａに設定されることは言うまでもない。
【００２５】
いずれかの支持脚２近傍の底面パネル１ａ部位には、電源コネクタ３が取付けられている。
この電源コネクタ３は、筐体底面パネル１ａに取付けられ第１の電気接点４Ａを備えるとともに開口部５ａを有する凹部５と、電源コード６の先端に設けられ前記凹部５の開口部５ａから挿入されて前記第１の電気接点４Ａに差し込まれる孔部からなる第２の電気接点４Ｂを備えたコネクタ部７とから構成される。
【００２６】
前記凹部５が筐体底面パネル１ａに取付けられることにより、凹部５の開口部５ａは下方、すなわち筐体１を設置する設置面８の方向に向く。したがって、この凹部５にコネクタ部７を差し込むのにあたって、一旦、筐体１を斜め横、もしくは真横に立てて底面パネル１ａを露出すると作業し易い。
【００２７】
ただし、前記凹部５の開口部５ａを底面パネル１ａの筐体側面１ｂに極く近い縁部に設けることにより、筐体１をそのままの状態にして凹部５の開口部５ａからコネクタ部７を差し込むことができる。
【００２８】
前記凹部５に前記コネクタ部７を差込んだ状態で支持脚２を介して筐体１を設置面８上に設置すると、前記コネクタ部７の一部が底面パネル１ａから突出する。すなわち、前記コネクタ部７は前記底面パネル１ａから突出する突出部Ｔを有している。
【００２９】
図３のみに示すように、前記支持脚２の筐体底面パネル１ａからの高さ寸法をＨａとし、前記コネクタ部７の筐体底面パネル１ａから突出する突出部Ｔの突出寸法をＨｂとしたとき、
支持脚２の高さ寸法Ｈａ  ＞  突出部Ｔの突出寸法Ｈｂ
となるように設定されている。このことから、コネクタ部７における突出部Ｔの突出端と設置面８との間には隙間Ｓが存在する。
【００３０】
すなわち、凹部５にコネクタ部７を挿入し、第１の電気接点４Ａと第２の電気接点４Ｂを電気的に接続した状態で、コネクタ部７は凹部５から突出する突出部Ｔを有し、この突出部Ｔの突出量Ｈｂは所定の隙間である支持脚２の高さ寸法Ｈａよりも小さく形成されている。
【００３１】
換言すると、底面パネル１ａに設けられる前記支持脚２は、コネクタ部７の一部が凹部５に挿入され、第１の電気接点４Ａと第２の電気接点４Ｂとが電気的に接続されたときに、コネクタ部７を設置面８に対して非接触な状態で筐体１を保持する。
【００３２】
なお、電源コネクタ３自体は従来から用いられている部品をそのまま使用するので、電源コネクタ３を構成する凹部５内周面とコネクタ部７外周面との間には若干の隙間が存在していることには変わりがない。
【００３３】
このようにして構成される内視鏡装置の光源部であって、電源コネクタ３と電源コード６とが電気的に接続されていることから、図示しない電源スイッチをオン操作すると光源部への電源供給が行なわれる。
【００３４】
電源コネクタ３が筐体底面パネル１ａに取付けられていて、電源コード６は電源コネクタ３から延在される。この状態で、電源コネクタ３を構成するコネクタ部７の底面パネル１ａから突出する突出部Ｔの突出寸法Ｈｂが所定隙間である支持脚２の高さ寸法Ｈａより低くなるように設定されているので、コネクタ部７の突出部Ｔは設置面８に接触しないですむ。
【００３５】
筐体１を設置面８に設置した状態で、筐体１の姿勢が安定し、かつ電源コード６や電源コネクタ３へ機械的な負担がかかることはない。しかも、筐体１設置後にコネクタ部７が凹部５から脱落することがなく、電源コネクタ３の抜け止めをなす。
何らかの事情で、液体１０が筐体１の後面パネル１ｂに降りかかり、ここを流下してきたとしても、この液体１０はそのまま設置面８へ落ちる。
【００３６】
したがって、底面パネル１ａと設置面８との間に浸入し介在する液体があっても、この液体が支持脚２に沿って遡り底面パネル１ａ内部に浸入するようなことはない。
【００３７】
ただし、電源コネクタ３のコネクタ部７下端部と設置面８との間には僅かの隙間Ｓしか存在していない。そのため、たとえば電源コード６あるいは後面パネル１ｂから突出するコネクタ部７に降りかかった液体が、それぞれに沿って導かれて前記隙間Ｓに毛細管現象により浸入してくることは考えられる。
【００３８】
しかしながら、前記コネクタ部７は底面パネル１ａから突出寸法Ｈｂで突出する突出部Ｔを有しているので、前記隙間Ｓを浸入してきた液体が突出寸法Ｈｂの突出部Ｔを遡ることは不可能であり、結局、電源コネクタ３もしくは凹部５の漏電事故を防止する。さらに、凹部５の開口部が下方を向いているので、重力の影響により液体の浸入を防ぐことができる。
【００３９】
なお、上述の電源コネクタ３は、電気接点４が凹部５に設けられ、コネクタ部７に前記電気接点が差し込まれる孔部を備えた構成としたが、前記コネクタ部７に電気接点が突設され、凹部５には電気接点が差し込まれる孔部を備えた構成の電源コネクタであっても、同様の作用効果が得られる。
【００４０】
また、ここではコネクタとして電源コネクタ３に関して説明したが、たとえば映像の入出力のための映像用コネクタや、他の周辺機器との通信を行うための通信用コネクタであっても適用でき、全て同等の効果が得られることは言うまでもない。
【００４１】
さらに、本発明は前記実施の形態に限定されるものではなく、本発明の要旨を逸脱しない範囲で種々変形実施できることは勿論である。
【００４２】
つぎに、本発明の他の特徴的な技術事項を下記の通り付記する。
【００４３】
記
（付記項１）  電気接点を有したコネクタを少なくとも備える機器において、機器の底面へコネクタを配置したことを特徴とする内視鏡装置。
【００４４】
（付記項２）  前記コネクタが、機器へ電源を供給する電源コネクタであることを特徴とする付記項１に記載の内視鏡装置。
【００４５】
（付記項３）  前記コネクタが、映像の入出力コネクタであることを特徴とする付記項１に記載の内視鏡装置。
【００４６】
（付記項４）  前記コネクタが、他の機器との通信を行うための通信コネクタであることを特徴とする付記項１に記載の内視鏡装置。
【００４７】
【発明の効果】
以上説明したように請求項１および請求項２の発明によれば、医療機器として新たに部材を追加することがなく、電気接点を保護できるとともに、接続コードの抜け防止をなす。
【００４８】
請求項２の発明によれば、電源コネクタ、映像入出力用コネクタ、もしくは通信用コネクタの電気接点の保護と接続コードの抜け防止をなす。
【図面の簡単な説明】
【図１】本発明の一実施の形態を示すもので、医療機器である内視鏡装置の電源部を底面側から見上げた斜視図。
【図２】同実施の形態を示すもので、内視鏡装置の電源部の一部の側面図。
【図３】同実施の形態を示すもので、内視鏡装置の電源部の一部を拡大した断面図。
【図４】（Ａ）は従来の内視鏡装置の電源部を背面側から見た斜視図、（Ｂ）は電源部一部の断面図。
【符号の説明】
８…設置面、
１…筐体、
１ａ…底面パネル、
５ａ…開口部、
５…凹部、
４Ａ…第１の電気接点、
４Ｂ…第２の電気接点、
７…コネクタ部、
２…支持脚（支持部）、
３…電源コネクタ。
【図１】
2004350761.tif 000003
【図２】
2004350761.tif 000004
【図３】
2004350761.tif 000005
【図４】
2004350761.tif 000006